(57)【要約】遂行形態によっては、無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、前記ユーザーデバイスが前記基地局から、前記オンデマンドシステム情報を取得するまで前記ユーザーデバイスが待機する待ち時間の標示を受信することと、前記ユーザーデバイスが、前記待ち時間の長さの間待機することと、前記待ち時間の経過後、前記ユーザーデバイスが、前記オンデマンドシステム情報を有するシステム情報メッセージが前記基地局によりブロードキャストされるシステム情報ウィンドウを監視することと、を含んでもよい。【選択図】図６
2020524959.tif 000002
【特許請求の範囲】
【請求項１】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、
前記ユーザーデバイスが前記基地局から、前記オンデマンドシステム情報を取得するまで前記ユーザーデバイスが待機する待ち時間の標示を受信することと、
前記ユーザーデバイスが、前記待ち時間の長さの間待機することと、
前記待ち時間の経過後、前記ユーザーデバイスが、前記オンデマンドシステム情報を有するシステム情報メッセージが前記基地局によりブロードキャストされるシステム情報ウィンドウを監視することと、
を含む方法。
【請求項２】
前記システム情報要求は、ランダムアクセスプリアンブルメッセージ内に含まれる、請求項１に記載の方法。
【請求項３】
前記ユーザーデバイスが前記基地局に、ランダムアクセスプリアンブルメッセージを送信することと、
前記ユーザーデバイスが前記基地局から、ランダムアクセス応答を受信することと、
前記ユーザーデバイスが前記基地局に、前記ランダムアクセス応答に応じて、前記システム情報要求を含むメッセージを送信することと、
をさらに含む、請求項１または２に記載の方法。
【請求項４】
前記待ち時間の前記標示は、前記システム情報要求に応じた確認メッセージに含まれる、請求項１から３のいずれかに記載の方法。
【請求項５】
前記待ち時間後に前記システム情報要求を再送信することをさらに含む、請求項１から４のいずれかに記載の方法。
【請求項６】
前記待ち時間の前記標示は、指標値を含み、
前記ユーザーデバイスは、前記指標値を使用して、待ち時間テーブルから前記待ち時間の長さを取得するように構成される、
請求項１から５のいずれかに記載の方法。
【請求項７】
前記待ち時間の長さを閾値レベルと比較することと、
前記ユーザーデバイスが異なるセル内の異なる基地局に、前記閾値レベルを超える前記待ち時間の長さに対応する新たなシステム情報要求を送信することと、
をさらに含む、請求項１から６のいずれかに記載の方法。
【請求項８】
前記待ち時間の前記標示に前記時間の長さは含まれ、
前記時間の長さは時間の単位またはシステム情報間隔に基づいて表される、
請求項１から７のいずれかに記載の方法。
【請求項９】
少なくとも１つのプロセッサと、コンピュータ命令を含む少なくとも１つのメモリと、を備える装置であって、前記コンピュータ命令は、前記少なくとも１つのプロセッサによって実行されると、前記装置に、
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、
前記ユーザーデバイスが前記基地局から、前記オンデマンドシステム情報を取得するまで前記ユーザーデバイスが待機する待ち時間の標示を受信することと、
前記ユーザーデバイスが、前記待ち時間の長さの間待機することと、
前記待ち時間の経過後、前記ユーザーデバイスが、前記オンデマンドシステム情報を有するシステム情報メッセージが前記基地局によりブロードキャストされるシステム情報ウィンドウを監視することと、
を遂行させる、装置。
【請求項１０】
前記待ち時間の前記標示は、複数のＳＩメッセージが前記待ち時間の長さだけ遅延するように当該複数のＳＩメッセージに対応する、請求項９に記載の装置。
【請求項１１】
前記コンピュータ命令は、前記少なくとも１つのプロセッサによって実行されると、前記装置に、
前記ユーザーデバイスが前記基地局に、ランダムアクセスプリアンブルメッセージを送信することと、
前記ユーザーデバイスが前記基地局から、ランダムアクセス応答を受信することと、
前記ユーザーデバイスが前記基地局に、前記ランダムアクセス応答に応じて、前記システム情報要求を含むメッセージを送信することと、
を遂行させる、請求項９または１０に記載の装置。
【請求項１２】
前記待ち時間の前記標示は、前記システム情報要求に応じた確認メッセージに含まれる、請求項９から１１のいずれかに記載の装置。
【請求項１３】
前記コンピュータ命令は、前記少なくとも１つのプロセッサによって実行されると、前記装置に、
前記待ち時間後に前記システム情報要求を再送信することを遂行させる、請求項９から１２のいずれかに記載の装置。
【請求項１４】
前記待ち時間の前記標示は、前記ユーザーデバイスに待機することを示すビットを含み、
前記待ち時間の長さは、前記基地局によりブロードキャストされる最小システム情報により示される、
請求項９から１３のいずれかに記載の装置。
【請求項１５】
前記待ち時間の前記標示は、前記基地局によりブロードキャストされる最小システム情報に含まれ、
前記ユーザーデバイスは、前記基地局に前記システム情報要求を送信するまで、前記待ち時間の長さの間待機する、
請求項９から１４のいずれかに記載の装置。
【請求項１６】
前記待ち時間の前記標示は、ランダムアクセスチャネル（Random Access Channel：ＲＡＣＨ）応答に含まれる、請求項９から１５のいずれかに記載の装置。
【請求項１７】
コンピュータ可読記憶媒体を備え、実行可能コードを記憶するコンピュータプログラム製品であって、前記実行可能コードは、少なくとも１つのプロセッサによって実行されると、前記少なくとも１つのプロセッサに、
無線ネットワークにおいて、基地局がユーザーデバイスから、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を受信することと、
前記基地局が、１つ以上のユーザーデバイスにシステム情報メッセージを送信するための遅延条件を決定することと、
前記基地局が前記ユーザーデバイスに、前記遅延条件の決定に応じて、前記オンデマンドシステム情報を有するシステム情報メッセージをブロードキャストするまで前記基地局が待機する待ち時間の標示を送信することと、
前記待ち時間の経過後、前記基地局が前記ユーザーデバイスに、システム情報ウィンドウ内で前記システム情報メッセージをブロードキャストすることと、
を遂行させるように構成される、コンピュータプログラム製品。
【請求項１８】
前記システム情報要求は、ランダムアクセスプリアンブルメッセージ内に含まれ、前記待ち時間の前記標示は、前記ランダムアクセスプリアンブルメッセージの確認に含まれる、請求項１７に記載のコンピュータプログラム製品。
【請求項１９】
前記実行可能コードは、前記少なくとも１つのプロセッサによって実行されると、前記少なくとも１つのプロセッサに、
前記基地局が前記ユーザーデバイスから、ランダムアクセスプリアンブルメッセージを受信することと、
前記基地局が前記ユーザーデバイスに、ランダムアクセス応答を送信することと、
前記基地局が前記ユーザーデバイスから、前記ランダムアクセス応答に応じて、前記システム情報要求を含むメッセージを受信することと、
を遂行させるように構成され、
前記待ち時間の前記標示は、前記メッセージの確認に含まれる、
請求項１７または１８に記載のコンピュータプログラム製品。
【請求項２０】
前記実行可能コードは、前記少なくとも１つのプロセッサによって実行されると、前記少なくとも１つのプロセッサに、
システム情報ウィンドウ内で、前記基地局が、前記待ち時間の前記標示を含む最小システム情報を定期的にブロードキャストすることを遂行させるように構成される、請求項１７から１９のいずれかに記載のコンピュータプログラム製品。
【請求項２１】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、
前記ユーザーデバイスが前記基地局から、前記オンデマンドシステム情報を取得するまで前記ユーザーデバイスが待機する待ち時間の標示を受信することと、
前記ユーザーデバイスが、前記ユーザーデバイスによる前記オンデマンドシステム情報の受信が予期される前記待ち時間の間待機することと、
を含む方法。
【請求項２２】
前記待ち時間後に、前記ユーザーデバイスが前記基地局に、前記ランダムアクセス処理時に前記システム情報要求を再送信することをさらに含む、請求項２１に記載の方法。
【請求項２３】
前記システム情報要求は、ランダムアクセスプリアンブルメッセージ内に含まれる、請求項２１または２２に記載の方法。
【請求項２４】
前記ユーザーデバイスが前記基地局に、ランダムアクセスプリアンブルメッセージを送信することと、
前記ユーザーデバイスが前記基地局から、ランダムアクセス応答を受信することと、
前記ユーザーデバイスが前記基地局に、前記ランダムアクセス応答に応じて、前記システム情報要求を含むメッセージを送信することと、
をさらに含む、請求項２１から２３のいずれかに記載の方法。
【請求項２５】
前記待ち時間の前記標示は、前記システム情報要求に応じた確認メッセージに含まれる、請求項２１から２４のいずれかに記載の方法。
【請求項２６】
前記待ち時間の前記標示は、前記基地局によりブロードキャストされる最小システム情報に含まれる、請求項２１から２５のいずれかに記載の方法。
【請求項２７】
前記待ち時間の前記標示は、ランダムアクセスチャネル（Random Access Channel：ＲＡＣＨ）応答に含まれる、請求項２１から２６のいずれかに記載の方法。
【請求項２８】
前記待ち時間の前記標示は、指標値を含み、
前記ユーザーデバイスは、前記指標値を使用して、待ち時間テーブルから前記待ち時間の長さを取得するように構成される、
請求項２１から２７のいずれかに記載の方法。
【請求項２９】
前記待ち時間の前記標示は、システム情報間隔に基づいて表される時間の長さを含む、請求項２１から２８のいずれかに記載の方法。
【請求項３０】
前記ユーザーデバイスが、前記無線ネットワークのあるセルをアクセス不能であるとして、別のセルにキャンプオンすることをさらに含む、請求項２１から２９のいずれかに記載の方法。
【請求項３１】
少なくとも１つのプロセッサと、コンピュータ命令を含む少なくとも１つのメモリと、を備える装置であって、前記コンピュータ命令は、前記少なくとも１つのプロセッサによって実行されると、前記装置に、
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、
前記ユーザーデバイスが前記基地局から、前記オンデマンドシステム情報を取得するまで前記ユーザーデバイスが待機する待ち時間の標示を受信することと、
前記ユーザーデバイスが、前記ユーザーデバイスによる前記オンデマンドシステム情報の受信が予期される前記待ち時間の間待機することと、
を遂行させる、装置。
【請求項３２】
コンピュータ可読記憶媒体を備え、実行可能コードを記憶するコンピュータプログラム製品であって、前記実行可能コードは、少なくとも１つのプロセッサによって実行されると、前記少なくとも１つのプロセッサに、
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、
前記ユーザーデバイスが前記基地局から、前記オンデマンドシステム情報を取得するまで前記ユーザーデバイスが待機する待ち時間の標示を受信することと、
前記ユーザーデバイスが、前記ユーザーデバイスによる前記オンデマンドシステム情報の受信が予期される前記待ち時間の間待機することと、
を遂行させるように構成される、コンピュータプログラム製品。
【請求項３３】
無線ネットワークにおいて、基地局がユーザーデバイスから、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を受信することと、
前記基地局が、１つ以上のユーザーデバイスにシステム情報メッセージを送信するための遅延条件を決定することと、
前記基地局が前記ユーザーデバイスに、前記遅延条件の決定に応じて、前記オンデマンドシステム情報を有するシステム情報メッセージをブロードキャストするまで前記基地局が待機する待ち時間の標示を送信することと、
前記待ち時間の経過後、前記基地局が前記ユーザーデバイスに、システム情報ウィンドウ内で前記システム情報メッセージをブロードキャストすることと、
を含む方法。
【請求項３４】
前記システム情報要求は、ランダムアクセスプリアンブルメッセージ内に含まれ、
前記待ち時間の前記標示は、前記ランダムアクセスプリアンブルメッセージの確認に含まれる、
請求項３３に記載の方法。
【請求項３５】
前記基地局が前記ユーザーデバイスから、ランダムアクセスプリアンブルメッセージを受信することと、
前記基地局が前記ユーザーデバイスに、ランダムアクセス応答を送信することと、
前記基地局が前記ユーザーデバイスから、前記ランダムアクセス応答に応じて、前記システム情報要求を含むメッセージを受信することと、
を含み、
前記待ち時間の前記標示は、前記メッセージの確認に含まれる、
請求項３３または３４に記載の方法。
【請求項３６】
システム情報ウィンドウ内で、前記基地局が、前記待ち時間の前記標示を含む最小システム情報を定期的にブロードキャストすることを含む、請求項３３から３５のいずれかに記載の方法。
【請求項３７】
少なくとも１つのプロセッサと、コンピュータ命令を含む少なくとも１つのメモリと、を備える装置であって、前記コンピュータ命令は、前記少なくとも１つのプロセッサによって実行されると、前記装置に請求項１から８のいずれかに記載の方法を遂行させる、装置。
【請求項３８】
コンピュータ可読記憶媒体を備え、実行可能コードを記憶するコンピュータプログラム製品であって、前記実行可能コードは、少なくとも１つのプロセッサによって実行されると、前記少なくとも１つのプロセッサに請求項１から８のいずれかに記載の方法を遂行させるように構成される、コンピュータプログラム製品。
【請求項３９】
請求項１から８のいずれかに記載の方法を実施する手段を備える、装置。
【請求項４０】
少なくとも１つのプロセッサと、コンピュータ命令を含む少なくとも１つのメモリと、を備える装置であって、前記コンピュータ命令は、前記少なくとも１つのプロセッサによって実行されると、前記装置に請求項２１から３０のいずれかに記載の方法を遂行させる、装置。
【請求項４１】
コンピュータ可読記憶媒体を備え、実行可能コードを記憶するコンピュータプログラム製品であって、前記実行可能コードは、少なくとも１つのプロセッサによって実行されると、前記少なくとも１つのプロセッサに請求項２１から３０のいずれかに記載の方法を遂行させるように構成される、コンピュータプログラム製品。
【請求項４２】
請求項２１から３０のいずれかに記載の方法を実施する手段を備える、装置。
【請求項４３】
少なくとも１つのプロセッサと、コンピュータ命令を含む少なくとも１つのメモリと、を備える装置であって、前記コンピュータ命令は、前記少なくとも１つのプロセッサによって実行されると、前記装置に請求項３３から３６のいずれかに記載の方法を遂行させる、装置。
【請求項４４】
コンピュータ可読記憶媒体を備え、実行可能コードを記憶するコンピュータプログラム製品であって、前記実行可能コードは、少なくとも１つのプロセッサによって実行されると、前記少なくとも１つのプロセッサに請求項３３から３６のいずれかに記載の方法を遂行させるように構成される、コンピュータプログラム製品。
【請求項４５】
請求項３３から３６のいずれかに記載の方法を実施する手段を備える、装置。
【請求項４６】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信する手段と、
前記ユーザーデバイスが前記基地局から、前記オンデマンドシステム情報を取得するまで前記ユーザーデバイスが待機する待ち時間の標示を受信する手段と、
前記ユーザーデバイスが、前記待ち時間の長さの間待機する手段と、
前記待ち時間の経過後、前記ユーザーデバイスが、前記オンデマンドシステム情報を有するシステム情報メッセージが前記基地局によりブロードキャストされるシステム情報ウィンドウを監視する手段と、
を備える装置。
【請求項４７】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信する手段と、
前記ユーザーデバイスが前記基地局から、前記オンデマンドシステム情報を取得するまで前記ユーザーデバイスが待機する待ち時間の標示を受信する手段と、
前記ユーザーデバイスが、前記ユーザーデバイスによる前記オンデマンドシステム情報の受信が予期される前記待ち時間の間待機する手段と、
を備える装置。
【請求項４８】
無線ネットワークにおいて、基地局がユーザーデバイスから、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を受信する手段と、
前記基地局が、１つ以上のユーザーデバイスにシステム情報メッセージを送信するための遅延条件を決定する手段と、
前記基地局が前記ユーザーデバイスに、前記遅延条件の決定に応じて、前記オンデマンドシステム情報を有するシステム情報メッセージをブロードキャストするまで前記基地局が待機する待ち時間の標示を送信する手段と、
前記待ち時間の経過後、前記基地局が前記ユーザーデバイスに、システム情報ウィンドウ内で前記システム情報メッセージをブロードキャストする手段と、
を備える装置。
【発明の詳細な説明】
【優先権主張】
【０００１】
本願は、２０１７年６月２３日に出願された米国特許出願第１５／６３２，２２０号（発明の名称「USE OF WAIT PERIOD TO OBTAIN ON-DEMAND SYSTEM INFORMATION FOR WIRELESS NETWORKS（無線ネットワークに対するオンデマンドシステム情報取得時における待ち時間の使用）」）の優先権を主張し、その開示内容は参照により全体が本明細書に組み込まれる。
【技術分野】
【０００２】
本明細書は、通信に関し、特に無線ネットワークに対するオンデマンドシステム情報の取得において待ち時間を使用することに関する。
【背景】
【０００３】
通信システムとは、２つ以上ノード間、または固定デバイスまたは移動通信デバイス等、２つ以上のデバイス間の通信を可能とする設備でありうる。有線または無線担体により、信号が伝送可能となる。
【０００４】
３ＧＰＰにより規格化進行中のアーキテクチャは、セルラ方式通信システムの一例である。この分野での最近の技術革新として、ユニバーサル移動体通信システム（Universal Mobile Telecommunications System：ＵＭＴＳ）無線−アクセス技術のロングタームエヴォルーション（ＬＴＥ）がある。Ｅ−ＵＴＲＡ（evolved UMTS Terrestrial Radio Access）は、モバイルネットワークに対する、３ＧＰＰのＬＴＥアップグレード伝送路の無線インターフェースである。ＬＴＥにおいて、基地局またはアクセスポイント（ＡＰ）は、ｅＮＢ（enhanced Node AP）と呼ばれ、カバレッジ領域またはセル内の無線アクセスを提供する。ＬＴＥにおいて、モバイルデバイスまたは移動局は、ユーザー端末（User Equipment：ＵＥ）と呼ばれる。ＬＴＥは、数多くの改良または発展を経てきた。さらに、５Ｇ（または第５世代）無線ネットワークも開発中である。
【０００５】
ＬＴＥでは、システムはオンデマンドシステム情報（System Information：ＳＩ）送信メカニズムを含みうる。これは、ＵＥにオンデマンドＳＩを送信するものである。例えば、ＵＥはネットワークにアクセスしようとする際、ランダムアクセス処理時にオンデマンドＳＩを要求できる。ＵＥはオンデマンドＳＩに応じて、基地局から確認を受信する。次に、基地局はＳＩメッセージをＳＩウィンドウ内でＵＥに送信する。このＳＩウィンドウは、１つ以上のブロックとして、１つ以上のパラメータを含むものである。これにより、ＵＥが無線ネットワーク内で通信可能となる。しかし、基地局は要求されたら必ずＳＩメッセージを送るものではない。例えば、基地局は、ダウンリンクチャネルの輻輳が生じ、または要求されたＳＩメッセージよりも高い優先度が他の送信に割り当てられていることにより、後続の１つ以上のＳＩウィンドウ内で、要求元であるＵＥにＳＩメッセージを迅速に送信できない可能性がある。そのような場合、ＵＥはＳＩ要求を再度試みる。しかし、基地局は要求されたＳＩを送るのにある程度時間を要することから、再要求はランダムアクセスチャネル（Random Access Channel：ＲＡＣＨ）に負担となりうる。
【０００６】
ＬＴＥでは、バックオフ標示フィールドはネットワークにより、ランダムアクセスチャネル（ＲＡＣＨ）応答内の媒体アクセス制御（Media Access Control：ＭＡＣ）サブヘッダの一部としてシグナリング可能である。バックオフ標示の値に対して、ＵＥはランダムなバックオフタイムを選択してもよい。この選択は、０と、シグナリングされたバックオフ標示に対応するバックオフパラメータとの間の一様分布に応じて行われる。バックオフ時間は、ランダムアクセス応答（Random Access Response：ＲＡＲ）受信が失敗とされた場合にのみ適用される。具体的には、受信したＲＡＲのいずれもが、送信されたＲＡプリアンブルに対応するランダムアクセスプリアンブル識別子（Random Access Preamble Identifier：ＲＡＰＩＤ）を含まない場合に失敗とされる。したがって、ＲＡＲを適切に受信したＵＥには、バックオフ標示が適用できない。この場合、ＲＡＲ内でＡＣＫを受信したＵＥは、次のＳＩウィンドウにおいてＳＩメッセージの復号を試みる。ＳＩメッセージが送られないと、ＵＥは新たなＳＩ要求を再送信し、これによりネットワークに輻輳が生じる場合がある。
【摘要】
【０００７】
例示的実施による方法は、無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、前記ユーザーデバイスが前記基地局から、前記オンデマンドシステム情報を取得するまで前記ユーザーデバイスが待機する待ち時間の標示を受信することと、前記ユーザーデバイスが、前記待ち時間の長さの間待機することと、前記待ち時間の経過後、前記ユーザーデバイスが、前記オンデマンドシステム情報を有するシステム情報メッセージが前記基地局によりブロードキャストされるシステム情報ウィンドウを監視することと、を含んでもよい。
【０００８】
いくつかの例示的実施では、前記方法は、以下の１つ以上の任意の特徴（またはその任意の組合せ）を含んでもよい。前記システム情報要求は、ランダムアクセスプリアンブルメッセージに含まれてもよい。前記方法はさらに、前記ユーザーデバイスが前記基地局に、ランダムアクセスプリアンブルメッセージを送信することと、前記ユーザーデバイスが前記基地局から、ランダムアクセス応答を受信することと、前記ユーザーデバイスが前記基地局に、前記ランダムアクセス応答に応じて、前記システム情報要求を含むメッセージを送信することと、を含んでもよい。前記待ち時間の前記標示は、前記システム情報要求に応じた確認メッセージに含まれてもよい。前記方法は、前記待ち時間後に前記システム情報要求を再送信することを含んでもよい。前記待ち時間の前記標示は、指標値を含んでもよく、前記ユーザーデバイスは、前記指標値を使用して、待ち時間テーブルから前記待ち時間の長さを取得するように構成されてもよい。前記方法はさらに、前記待ち時間の長さを閾値レベルと比較することと、前記ユーザーデバイスが異なるセル内の異なる基地局に、前記閾値レベルを超える前記待ち時間の長さに対応する新たなシステム情報要求を送信することと、を含んでもよい。前記待ち時間の前記標示に前記時間の長さは含まれてもよく、前記時間の長さは時間の単位またはシステム情報間隔に基づいて表される。
【０００９】
例示的実施による装置は、少なくとも１つのプロセッサと、コンピュータ命令を含む少なくとも１つのメモリと、を備え、前記コンピュータ命令は、前記少なくとも１つのプロセッサによって実行されると、前記装置に、無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、前記ユーザーデバイスが前記基地局から、前記オンデマンドシステム情報を取得するまで前記ユーザーデバイスが待機する待ち時間の標示を受信することと、前記ユーザーデバイスが、前記待ち時間の長さの間待機することと、前記待ち時間の経過後、前記ユーザーデバイスが、前記オンデマンドシステム情報を有するシステム情報メッセージが前記基地局によりブロードキャストされるシステム情報ウィンドウを監視することと、を実施させる。
【００１０】
いくつかの例示的実施では、前記装置は、上記および／または下記の１つ以上の任意の特徴（またはその任意の組合せ）を備えてもよい。前記待ち時間の前記標示は、複数のＳＩメッセージが前記待ち時間の長さだけ遅延するように当該複数のＳＩメッセージに対応してもよい。前記コンピュータ命令は、前記少なくとも１つのプロセッサによって実行されると、前記装置に、前記ユーザーデバイスが前記基地局に、ランダムアクセスプリアンブルメッセージを送信することと、前記ユーザーデバイスが前記基地局から、ランダムアクセス応答を受信することと、前記ユーザーデバイスが前記基地局から、前記ランダムアクセス応答に応じて、前記システム情報要求を含むメッセージ送信することと、を実施させてもよい。前記待ち時間の前記標示は、前記システム情報要求に応じた確認メッセージに含まれてもよい。前記コンピュータ命令は、前記少なくとも１つのプロセッサによって実行されると、前記装置に、前記待ち時間後に前記システム情報要求を再送信することを実施させてもよい。前記待ち時間の前記標示は、前記ユーザーデバイスに待機することを示すビットを含んでもよく、前記待ち時間の長さは、前記基地局によりブロードキャストされる最小システム情報により示される。前記コンピュータ命令は、前記少なくとも１つのプロセッサによって実行されると、前記装置に、前記待ち時間の長さを閾値レベルと比較することと、前記ユーザーデバイスが異なるセル内の異なる基地局に、前記閾値レベルを超える前記待ち時間の長さに対応する新たなシステム情報要求を送信することと、を実施させてもよい。前記待ち時間の前記標示は、前記基地局によりブロードキャストされる最小システム情報に含まれてもよく、前記ユーザーデバイスは、前記基地局に前記システム情報要求を送信するまで、前記待ち時間の長さの間待機してもよい。前記待ち時間の前記標示は、ランダムアクセスチャネル（ＲＡＣＨ）応答に含まれてもよい。
【００１１】
例示的実施によるコンピュータプログラム製品は、コンピュータ可読記憶媒体を備え、実行可能コードを記憶し、前記実行可能コードは、少なくとも１つのプロセッサによって実行されると、前記少なくとも１つのプロセッサに、無線ネットワークにおいて、基地局がユーザーデバイスから、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を受信することと、前記基地局が、１つ以上のユーザーデバイスにシステム情報メッセージを送信するための遅延条件を決定することと、前記基地局が前記ユーザーデバイスに、前記遅延条件の決定に応じて、前記オンデマンドシステム情報を有するシステム情報メッセージをブロードキャストするまで前記基地局が待機する待ち時間の標示を送信することと、前記待ち時間の経過後、前記基地局が前記ユーザーデバイスに、システム情報ウィンドウ内で前記システム情報メッセージをブロードキャストすることと、を実施させるように構成される。
【００１２】
いくつかの例示的実施では、前記コンピュータプログラム製品は、上記および／または下記の１つ以上の任意の特徴（またはその任意の組合せ）を備えてもよい。前記システム情報要求は、ランダムアクセスプリアンブルメッセージに含まれてもよく、前記待ち時間の前記標示は、前記ランダムアクセスプリアンブルメッセージの確認に含まれてもよい。前記実行可能コードは、前記少なくとも１つのプロセッサによって実行されると、前記少なくとも１つのプロセッサに、前記基地局が前記ユーザーデバイスから、ランダムアクセスプリアンブルメッセージを受信することと、前記基地局が前記ユーザーデバイスに、ランダムアクセス応答を送信することと、前記基地局が前記ユーザーデバイスから、前記ランダムアクセス応答に応じて、前記システム情報要求を含むメッセージを受信することと、を実施させるように構成され、前記待ち時間の前記標示は、前記メッセージの確認に含まれてもよい。前記実行可能コードは、前記少なくとも１つのプロセッサによって実行されると、前記少なくとも１つのプロセッサに、システム情報ウィンドウ内で、前記基地局が、前記待ち時間の前記標示を含んでもよい最小システム情報を定期的にブロードキャストすることを実施させるように構成されてもよい。
【００１３】
例示的実施による方法は、無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、前記ユーザーデバイスが前記基地局から、前記オンデマンドシステム情報を取得するまで前記ユーザーデバイスが待機する待ち時間の標示を受信することと、前記ユーザーデバイスが、前記ユーザーデバイスによる前記オンデマンドシステム情報の受信が予期される前記待ち時間の間待機することと、を含む。
例示的実施によると、前記方法は、上記および／または下記の１つ以上の特徴（またはその任意の組合せ）を含んでもよい。前記方法は、前記待ち時間後に、前記ユーザーデバイスが前記基地局に、前記ランダムアクセス処理時に前記システム情報要求を再送信することを含んでもよい。前記システム情報要求は、ランダムアクセスプリアンブルメッセージに含まれてもよい。前記方法はさらに、前記ユーザーデバイスが前記基地局に、ランダムアクセスプリアンブルメッセージを送信することと、前記ユーザーデバイスが前記基地局から、ランダムアクセス応答を受信することと、前記ユーザーデバイスが前記基地局に、前記ランダムアクセス応答に応じて、前記システム情報要求を含むメッセージを送信することと、を含んでもよい。前記待ち時間の前記標示は、前記システム情報要求に応じた確認メッセージに含まれてもよい。前記待ち時間の前記標示は、前記基地局によりブロードキャストされる最小システム情報に含まれてもよい。前記待ち時間の前記標示は、ランダムアクセスチャネル（ＲＡＣＨ）応答に含まれてもよい。前記待ち時間の前記標示は、指標値を含んでもよく、前記ユーザーデバイスは、前記指標値を使用して、待ち時間テーブルから前記待ち時間の長さを取得するように構成されてもよい。前記待ち時間の前記標示は、システム情報間隔に基づいて表される時間の長さを含んでもよい。前記方法はさらに、前記ユーザーデバイスが、前記無線ネットワークのあるセルをアクセス不能であるとして、別のセルにキャンプオンすることを含んでもよい。
【００１４】
１つ以上の例示的実施の詳細は、添付の図面と以下の説明に規定されている。別の特徴も、本明細書の説明、図面、特許請求の範囲から明白である。
【図面の簡単な説明】
【００１５】
【図１】図１は、例示的実施による無線ネットワークのブロック図である。
【００１６】
【図２】図２は、例示的実施による、ランダムアクセスを実行し、ユーザーデバイスにシステム情報を提供するように構成された基地局のブロック図である。
【００１７】
【図３】図３は、例示的実施による、システム情報を提供するための基地局とユーザーデバイスとの間の通信の例を示す図である。
【００１８】
【図４】図４は、例示的実施による、ＭＳＧ３に基づくシステム情報要求に対する待ち時間を使用する、基地局とユーザーデバイスとの間の通信の例を示す図である。
【００１９】
【図５】図５は、例示的実施による、ＭＳＧ１に基づくシステム情報要求に対する待ち時間を使用する、基地局とユーザーデバイスとの間の通信の例を示す図である。
【００２０】
【図６】図６は、例示的実施による、ＭＳＧ１またはＭＳＧ３に基づくシステム情報要求に対する待ち時間を使用する、基地局とユーザーデバイスとの間の通信の例を示す図である。
【００２１】
【図７】図７は、例示的実施によるユーザーデバイスの動作を示すフローチャートである。
【００２２】
【図８】図８は、例示的実施による基地局の動作を示すフローチャートである。
【００２３】
【図９】図９は、例示的実施によるユーザーデバイスの動作を示すフローチャートである。
【００２４】
【図１０】図１０は、例示的実施による無線局のブロック図である。
【発明を実施するための形態】
【００２５】
この例示的実施によると、ネットワークは、所定期間システム情報（ＳＩ）要求の送信をバックオフするように、ユーザーデバイスを設定する。これにより、ユーザーデバイスが、ネットワークがＳＩの提供を計画する前に、何度もＳＩ要求を送信することが防止される。例えば、例示的実施によると、基地局が要求されたＳＩメッセージの送信を遅延しなければならない場合、待ち時間の標示をユーザーデバイスに通信する。これは、要求したＳＩメッセージのＳＩウィンドウを監視する前に、または新たなＳＩ要求を再送信するのを、所定期間バックオフする（待機する）ということを示すものである。例えば、待ち時間は、その待ち時間後でなければ、要求されたＳＩが利用できないことを示す。また、待ち時間の受信時に、ユーザーデバイスが、待ち時間が閾値量よりも長いと判定すると、ユーザーデバイスはそのセルがアクセス不能であるとして、異なるセル内の別の基地局に対してランダムアクセス（ＲＡ）要求／ＳＩ要求を送信する。
【００２６】
基地局は、ダウンリンクに輻輳が発生している、または要求されたＳＩメッセージ送信よりも、優先順位の高い情報送信を優先すべきと判断してもよい。そのように判断した場合、基地局は、全てのＳＩメッセージ、ＳＩメッセージ群、またはＳＩメッセージ個別に、待ち時間を設定してもよい。いくつかの例では、基地局は、ユーザーデバイスに対する遅延したＳＩメッセージの待ち時間の長さを決定し、その時間の長さを待ち時間の標示に含める。この時間の長さは、時間単位（例えばミリ秒）で示されてもよいし、ＳＩの間隔に基づくものであってもよい。いくつかの例では、待ち時間の標示は、指標値を含み、ユーザーデバイスは待ち時間の長さを、仕様で指定された待ち時間テーブル（複数可）および指標値に基づいて判定する。例えば、指標１は、ｘミリ秒の待ち時間に対応してもよい。待ち時間テーブルと指標値が分かれば、ユーザーデバイスは待ち時間の長さを取得できる。いくつかの例では、待ち時間の標示は、ユーザーデバイスに待機を示す１ビットを含み、時間の長さは基地局によりブロードキャストされる最小ＳＩによって示されてもよい。
【００２７】
ユーザーデバイスが要求したＳＩは、オンデマンドＳＩと捉えられうる（ユーザーデバイスによるＳＩ要求により利用可能になるためである）。例えば、オンデマンドＳＩは、周波数間選択（または再選択）パラメータ、マルチメディアブロードキャスト／マルチキャストサービス（ＭＢＭＳ）パラメータ、測位情報、および／または緊急／警報システム用の設定情報等の多様な情報からなるものであってもよい。また、ＳＩは、基地局が定期的にブロードキャストする最小ＳＩを含んでもよい。最小ＳＩは、ＲＡパラメータ等の初期アクセス用パラメータと、ＳＩ間隔およびＳＩウィンドウ情報等のその他システム情報ブロック（ＳＩＢ）種類用のスケジューリング情報を含んでもよい。ネットワークは、オンデマンド提供用に、また、定期ブロードキャスト用にそれぞれどのＳＩを利用可能にするか判断してもよい。
【００２８】
ユーザーデバイスはＳＩ要求を送る前に、該当する領域で、自身が要求するＳＩが利用可能であるか、また、ＳＩがブロードキャストされているかを判定する。例えば、最小ＳＩ内のスケジューリング情報は、対応するＳＩブロックが定期的にブロードキャストされているか、またはオンデマンド提供されるかの標示を含んでもよい。最小ＳＩが、ＳＩブロックがブロードキャストされていないことを示す場合、ユーザーデバイスはこのＳＩブロックが、そのＳＩウィンドウにおいて、ＳＩ間隔ごとにブロードキャストされないと判断する。したがって、ユーザーデバイスは、このＳＩブロックを取得するためのＳＩ要求を送信してもよい。
【００２９】
オンデマンドＳＩ（例えば、定期的ブロードキャストで利用可能とならないＳＩ）を取得するため、ユーザーデバイスは１つ以上のＳＩメッセージに対してＲＡに基づくＳＩ要求を送信してもよい（各ＳＩメッセージは異なるＳＩＢ組を含む）。いくつかの例では、ＲＡに基づくＳＩ要求は、単一のＳＩメッセージに対する要求である。いくつかの例では、ＲＡに基づくＳＩ要求は、複数のＳＩメッセージに対する要求である。
【００３０】
いくつかの例では、ＲＡに基づくＳＩ要求は、メッセージ１要求（ＭＳＧ１に基づくＳＩ要求）。例えば、ＲＡ処理時に、ユーザーデバイスは、埋め込まれたＳＩ要求を含むランダムアクセスチャネル（ＲＡＣＨ）プリアンブルメッセージ（ＭＳＧ１）を送信する。いくつかの例では、１つのＲＡＣＨプリアンブルを利用して、複数のＳＩメッセージを要求できる。それに応じて、ユーザーデバイスは、待ち時間の標示を含むＡＣＫ  ＲＡＣＨ応答を受信する。ＡＣＫ  ＲＡＣＨ応答は、ＲＡＣＨプリアンブルメッセージの受信確認用のＡＣＫである。ＡＣＫ  ＲＡＣＨ応答は、さらにＲＡＣＨプリアンブル識別子（例えば、この応答がＲＡプリアンブル／要求に対応することを確認するプリアンブルシーケンスに対応する識別子）を含み、その他の典型的なＲＡＣＨパラメータを含まなくてもよい。典型的なＲＡＣＨパラメータとは、アップリンク（ＵＬ）グラント（例えば、ユーザーデバイスによるＵＬ送信用のグラントリソース）、ＣＲＮＴＩ（例えば、セル無線ネットワーク仮識別子の割り当て）、ＴＡＩ（例えば、ユーザーデバイスがＵＬ送信に使用するタイミングアドバンス）、および／またはバックオフ標示等である。いくつかの例では、ユーザーデバイスはＮＡＣＫ  ＲＡＣＨ応答を受信すると、待ち時間を無視して、ＳＩ要求を再送信してもよい。別の例では、ユーザーデバイスはＮＡＣＫ  ＲＡＣＨ応答を受信すると、ＡＣＫ  ＲＡＣＨ応答（ＭＳＧ２）に待ち時間が示されている場合、ＳＩ要求再送信前に、その待ち時間を適用してもよい。
【００３１】
別の例では、ＲＡに基づくＳＩ要求は、メッセージ３要求（ＭＳＧ３に基づくＳＩ要求）である。例えば、ＲＡ処理時、ユーザーデバイスは通常ＲＡＣＨプリアンブルメッセージ（ＭＳＧ１）（例えば、プリアンブルにＳＩ要求を含まない）を送信し、ＵＬグラント、ＲＡプリアンブルＩＤ、ＴＡＩ、ＣＲＮＴＩ等の典型的なＲＡＣＨパラメータを含むＲＡＣＨ応答（ＭＳＧ２）を受信する。その後、ユーザーデバイスはＳＩ要求付きのメッセージ（ＭＳＧ３）を送信する。いくつかの例では、ＳＩ要求メッセージ（ＭＳＧ３）は、１つ以上のＳＩメッセージを要求する、ビットがマッピングされたＳＩメッセージ要求を含む。それに応じて、ユーザーデバイスは待ち時間の標示を含むＡＣＫメッセージ（ＭＳＧ４）を受信する。いくつかの例では、ユーザーデバイスはＮＡＣＫメッセージを受信すると、待ち時間を無視して、そのＳＩ要求を再送信してもよい。別の例では、ユーザーデバイスはＮＡＣＫメッセージを受信すると、ＡＣＫメッセージ（ＭＳＧ４）に待ち時間が示されている場合、ＳＩ要求再送信前に、その待ち時間を適用してもよい。
【００３２】
待ち時間の間、ユーザーデバイスは（１つまたは複数の）ＳＩウィンドウを監視しないが、待ち時間が経過すると、ユーザーデバイスは要求したＳＩの受信を予期して、次のＳＩウィンドウを監視する。いくつかの例では、待ち時間の経過後、ユーザーデバイスはそのＳＩ要求（例えば、ＭＳＧ１に基づくＳＩ要求またはＭＳＧ３に基づくＳＩ要求）を再送信してもよい。別の例では、待ち時間の標示を受信すると、ユーザーデバイスは待ち時間の長さを閾値レベルと比較してもよい。待ち時間の長さが閾値レベルを超えると、ユーザーデバイスはそのセルがアクセス不能であるとして、異なるセル内の別の基地局に対してＲＡに基づくＳＩ要求を送信する。
【００３３】
いくつかの例では、基地局は、最小ＳＩ（スケジューリング情報も含む）に待ち時間の標示を含めてブロードキャストする。例えば、基地局は、全てのＳＩ要求、ＳＩ要求のサブセット、またはユーザーデバイスが要求した特定の種類のＳＩに対して待ち時間を適用すると判断した上で、ＳＩウィンドウ内で待ち時間をブロードキャストしてもよい。この場合、ユーザーデバイスは、待ち時間の標示の受信に際して、同様に対処してもよい。例えば、待ち時間が経過するのを待って、その要求ＳＩを待機するか、ＳＩ要求を再送信するか、および／またはセルがアクセス不能であるとして、異なるセルに新たなＳＩ要求を送信する。別の例では、ユーザーデバイスがＳＩ要求を送信するまでに確認すべき最小ＳＩに、待ち時間が示されている場合、ＳＩ要求を送信するまで待機してもよい。すなわち、ユーザーデバイスは、最小ＳＩに待ち時間が示されていれば、最初のＳＩ要求送信を控えてもよい。この手法は、ネットワークが待ち時間が経過するまでネットワークがＳＩを送ることができない場合に、ユーザーデバイスがＳＩ要求を一切送信しないようにするのに有効である。
【００３４】
したがって、オンデマンドＳＩに対する待ち時間を導入することで、ＲＡＣＨの輻輳量を低減、ユーザーデバイスによるＳＩ要求量を制御する手段の提供、オンデマンドＳＩメッセージに関するより柔軟なスケジューリング枠組みの実現が可能となりうる。
【００３５】
図１は、例示的実施による無線ネットワーク１３０のブロック図である。図１の無線ネットワーク１３０では、移動局（Mobile Station：ＭＳ）またはユーザー端末（ＵＥ）とも称されるユーザーデバイス１３１、１３２、１３３、および１３５が、アクセスポイント（ＡＰ）、エンハンスドノードＢ（ｅＮＢ）、またはネットワークノードとも称される基地局（Base Station：ＢＳ）と接続（通信）してもよい。アクセスポイント（ＡＰ）、基地局（ＢＳ）または（エンハンスド）ノードＢ（ｅＮＢ）の機能の少なくとも一部は、リモートレディオヘッド等の送受信機に動作可能に接続されうる任意のノード、サーバ、またはホストによって実行されてもよい。ＢＳ（またはＡＰ）１３４は、ユーザーデバイス１３１、１３２、１３３、１３５を含むセル１３６内無線カバレッジを提供する。ＢＳ１３４に接続または結びついているユーザーデバイスは４つのみ示されているが、設けられるユーザーデバイスの数は任意である。ＢＳ１３４は、Ｓ１インターフェース１５１を介して、さらにコアネットワーク１５０にも接続される。これは無線ネットワークの単なる一例であり、別の構成が利用されてもよい。
【００３６】
ユーザーデバイス（ユーザー機器、ユーザー端末（ＵＥ））は、加入者識別モジュール（ＳＩＭ）有り、または無しで動作する無線移動通信デバイスを含む携帯演算デバイスを指してもよい。この例としては以下の種類のデバイスが挙げられるが、これに限定されない。すなわち、移動局（ＭＳ）、携帯電話、フィーチャーフォン、スマートフォン、携帯情報端末（Personal Digital Assistant：ＰＤＡ）、ハンドセット、無線モデム（アラーム、測定デバイス等）を利用したデバイス、ノートパソコンおよび／またはタッチスクリーンコンピュータ、タブレット、ファブレット、ゲーム機、ノートブック、マルチメディアデバイス等である。さらに、ユーザーデバイスは、ほぼ完全アップリンク専用デバイスであってもよいことが理解されよう。この例としては、静止画や動画をネットワークに上げるカメラまたはビデオカメラが挙げられる。ユーザーデバイス（ＵＥ）はさらに、例えばナローバンドモノのインターネット（ＮＢ−ＩｏＴ）等のモノのインターネット（ＩｏＴ）ユーザーデバイス／ＵＥであってもよい。
【００３７】
一例として、ＬＴＥにおいて、コアネットワーク１５０は、エボルブドパケットコア（ＥＰＣ）と称されてもよい。これはユーザーデバイスのＢＳ間での移動／ハンドオーバを処理または補助しうるモビリティマネジメントエンティティ（ＭＭＥ）、データや制御信号をＢＳ、パケットデータネットワーク、またはインターネット間で転送する１つ以上のゲートウェイ、あるいはその他の制御機能またはブロックであってもよい。
【００３８】
各種例示的実施は、多様な無線技術または無線ネットワークに適用されうる。すなわち、ＬＴＥ、ＬＴＥ−Ａ、５Ｇ、センチ波および／またはミリ波帯バンドネットワーク、またはその他任意の無線ネットワークである。ＬＴＥ、５Ｇ、センチ波およびミリ波帯バンドネットワークは、あくまで例であって、その他各種例示的実施が、任意の無線技術／無線ネットワークに適用されうる。
【００３９】
図２は、ランダムアクセス（ＲＡ）１０５およびブロードキャストまたは信号システム情報（ＳＩ）１１１を実行して、ＵＥ１３１にモバイルネットワークにアクセスし、そこで情報を送信可能とするように構成された、例示的実施によるＢＳ１３４のブロック図である。
【００４０】
ＬＴＥにおいて、ＲＡ１０５は、無線リンク構築（例えば、ＲＲＣ＿ＩＤＬＥからＲＲＣ＿ＣＯＮＮＥＣＴＥＤに遷移）時の初期アクセス、無線リンク切れの際の無線リンク再構築、新規セルに対してアップリンク同期設定が必要な場合のハンドオーバ、および／またはデバイスがＲＲＣ＿ＣＯＮＮＥＣＴＥＤで、アップリンク同期がなされていない場合に、アップリンクまたはダウンリンクデータが送られてきた場合に、アップリンク同期を設定するために使用される。
【００４１】
ＲＡ１０５によると、設定時に、ＵＥ１３１はランダムアクセスチャネル（ＲＡＣＨ）（例えば、初期アップリンクアクセスチャネル）を使用して、ネットワークにアクセスする。いくつかの例では、ＲＡ１０５には４つの主要ステップがある。第１ステップにおいて、ＵＥ１３１は、６４個の利用可能なＲＡＣＨプリアンブルから１つを選択し、選択したＲＡＣＨプリアンブル（例えば、ＭＳＧ１）を例えばブロードキャストＲＡＣＨウィンドウで送信する。プリアンブル送信の主要目的は、基地局１３４が基地局１３４とＵＥ１３１との間の遅延を推定可能とするため、ランダムにアクセスが試みられていることを基地局１３４に示すことである。ＲＡＣＨプリアンブルは、プリアンブルシーケンスと、巡回プレフィックスとを含みうる。第２ステップにおいて、基地局１３４は、ダウンリンク共有チャネル（ＤＬ−ＳＣＨ）でＲＡＣＨ応答（例えば、ＭＧＳ２）を送信する。いくつかの例では、ＲＡＣＨ応答はＵＬグラント（例えば、ＵＥ１３１によるＵＬ送信用のグラントリソース）と、ＣＲＮＴＩ（例えば、セル無線ネットワーク仮識別子の割り当て）と、ＴＡＩ（ＵＬ送信にＵＥ１３１が使用するタイミングアドバンス）とを含んでもよく、バックオフ標示も含みうる。第３ステップにおいて、ＵＥ１３１は、アップリンク共有チャネル（ＵＬ−ＳＣＨ）を使用して、ＲＲＣ接続要求メッセージ（例えば、ＭＳＧ３）を基地局１３４に送信する。ＲＲＣ接続要求メッセージは、ＵＥ識別子と、接続構築理由を含んでもよい。第４ステップにおいて、基地局１３４は、競合解消メッセージ（例えばＭＳＧ４）を、送信したメッセージが第３ステップで適切に受信されたＵＥ１３１に対して送信する。競合解消メッセージは、さらなる通信に使用される、新たなＣＲＮＴＩを含んでもよい。いくつかの例では、ＲＡ１０５を実行することで、ＵＥ１３１は、基地局１３４に対して、アイドル（例えば、ＲＲＣ＿ｉｄｌｅ）状態から接続状態（例えば、ＲＲＣ＿ｃｏｎｎｅｃｔｅｄ）に遷移してもよい。ＲＲＣは無線リソース制御を指す。
【００４２】
基地局１３４は、ＵＥ１３１に対して、ＳＩ１１１をブロードキャストまたはシグナリングするように構成される。ＬＴＥにおいて、ＳＩ１１１は、ブロードキャスト制御（ＢＣＣＨ）論理チャネル上で送信される。通常、ＢＣＣＨメッセージはＤＬ−ＳＣＨ上で伝送され、物理的ダウンリンク共有チャネル（ＰＤＳＣＨ）上で送信される。ＳＩ１１１は、複数のシステム情報ブロック（ＳＩＢ）を含む。各ＳＩＢは、パラメータ組を含む。例えば、ＳＩＢ１は、ＵＥセルアクセスに関する情報を含んでもよく、その他のＳＩＢのスケジュールを定義する。ＳＩＢ２は、全ＵＥ共通の無線リソース設定情報を含んでもよい。ＳＩＢ３は、周波数内、周波数間、および／またはＲＡＴ間のセル再選択を含んでもよい。ＳＩＢ４は、ＬＴＥ内周波数内セル再選択用の周波数内隣接セル情報を含んでもよい。ＳＩＢ５は、ＬＴＥ内周波数間セル再選択用の隣接セル関連情報を含んでもよい。ただし、これら種類のＳＩＢは単に例であって、ＳＩＢ組は多様なパラメータを含みうる。
【００４３】
基地局１３４によりブロードキャストされる特定のＳＩメッセージは、１つ以上のＳＩＢを含んでもよい。伝送されるＳＩＢ組は、ＳＩメッセージにより異なる。ＳＩメッセージは、ＳＩウィンドウ内でブロードキャストされてもよい。例えば、ＳＩメッセージに対してそれぞれＳＩウィンドウが提供され、各ウィンドウの間隔は設定可能である。一例では、基地局１３４は、ＳＩＢ１を有するＳＩメッセージを定期的に（例えば８０ｍｓ）ブロードキャストしてもよい。
【００４４】
図３は、基地局１３４とＵＥ１３１との間の、ＳＩ１１１送信用の通信の例を示す図である。いくつかの例では、ＳＩ１１１は、最小ＳＩ１１３と、別のＳＩ１１５とを含む。いくつかの例では、最小ＳＩ１１３は、セル１３６に対する初期アクセスに必要なパラメータと、ＲＡパラメータと、定期的にブロードキャストされるかオンデマンドで提供されるＳＩ１１１に対するスケジューリング情報と、ＳＩウィンドウ長と、ＳＩ間隔と、ＳＩＢ種類とを含む。いくつかの例では、別のＳＩ１１５が定期的にブロードキャストされるか、オンデマンドで取得されうる。オンデマンドで取得される別のＳＩ１１５は、オンデマンドＳＩとも称されてもよい。別のＳＩ１１５は、周波数間選択（または再選択）パラメータ、マルチメディアブロードキャスト／マルチキャストサービス（ＭＢＭＳ）パラメータ、測位情報、および／または緊急／警報システム用の設定情報を含んでもよい。
【００４５】
動作３０２において、基地局１３４は、最小ＳＩ１１３をＵＥ１３１に定期的にブロードキャストしてもよい。動作３０４において、基地局１３４は、別のＳＩ１１５の１つ以上のＳＩパラメータをＵＥ１３１に定期的に（かつ任意で）ブロードキャストしてもよい。動作３０６において、ＵＥ１３１は、ＳＩ要求を送信し、このＳＩ要求に応じて、基地局１３４は別のＳＩ１１５（オンデマンドＳＩ）の１つ以上のＳＩパラメータをブロードキャストしてもよいし、または専用シグナリングでオンデマンドＳＩを送信してもよい。ＲＲＣ＿ＩＤＬＥまたはＲＲＣ＿ＩＮＡＣＴＩＶＥ状態のＵＥ１３１は、状態変化不要でオンデマンドＳＩのＳＩ要求を送信する。ＲＲＣ＿ＣＯＮＮＥＣＴＥＤ状態のＵＥ１３１に対しては、専用ＲＲＣシグナリングが、オンデマンドＳＩの要求と送信に使用可能である。別のＳＩ１１５がブロードキャストされるか、専用ＵＥ固有ＲＲＣシグナリングで送信されるかは、ネットワークが判断する。いくつかの例では、オンデマンドＳＩ（例えば、定期的ブロードキャストでは利用可能でないＳＩ）を取得するために、ＵＥ１３１は１つ以上のＳＩメッセージに対してＲＡに基づくＳＩ要求を送信してもよい。いくつかの例では、ＲＡに基づくＳＩ要求は、１つのＳＩメッセージに対する要求である。いくつかの例では、ＲＡに基づくＳＩ要求は複数のＳＩメッセージに対する要求である。
【００４６】
図４は、例示的実施による、ＲＡ  ＭＳＧ３に基づくＳＩ要求に対して待ち時間を使用する、基地局１３４とＵＥ１３１との間の通信の例を示す図である。
【００４７】
ＲＡ１０５において、ＵＥ１３１は、動作４０２において通常ＲＡＣＨプリアンブルメッセージ（ＭＳＧ１）を送信し、動作４０４において典型的なＲＡＣＨパラメータを含むＲＡＣＨ応答（ＭＳＧ２）を受信する。このパラメータは、ＵＬグラント、ＲＡプリアンブルＩＤ、ＴＡＩ、ＣＲＮＴＩ、潜在的なバックオフ標示等である。動作４０６において、ＵＥ１３１はＳＩ要求が埋め込まれたメッセージ（ＭＳＧ３）を送信する。いくつかの例では、ＳＩ要求メッセージ（ＭＳＧ３）は、１つ以上のＳＩメッセージを要求する、ビットマッピングされたＳＩメッセージ要求を含む。それに応じて、動作４０８において、ＵＥ１３１は待ち時間の標示を含むＡＣＫメッセージ（ＭＳＧ４）を受信する。いくつかの例では、ＵＥ１３１はＮＡＣＫメッセージを受信すると、待ち時間を無視してＳＩ要求を再送信してもよい。
【００４８】
例えば、基地局１３４は、所定期間、要求されたオンデマンドＳＩを提供不能だと判断してもよい。具体的には、基地局１３４は、ダウンリンクに輻輳が生じているか、要求されたＳＩメッセージの送信よりも、優先順位の高い情報送信が優先されると判定する。その判定に基づき、基地局１３４は、全てのＳＩメッセージに対して、ＳＩメッセージ群に対して、または特定のＳＩメッセージに対して、待ち時間を設定してもよい。いくつかの例では、基地局１３４は、ＵＥ１３１が遅延したＳＩメッセージを待機する所定時間を決定し、その時間の長さを待ち時間の標示に含める。いくつかの例では、時間の長さは明確な時間の単位により（例えばｘミリ秒待機）、またはＳＩ間隔に基づいて（例えばＸ個のＳＩウィンドウ分待機）表現されてもよい。
【００４９】
いくつかの例では、待ち時間の標示は、ＡＣＫメッセージ内のＳＩ−要求バックオフ標示を含んでもよい。いくつかの例では、ＳＩ−要求バックオフ標示は指標値である。ＵＥ１３１は、ＳＩ−要求バックオフ標示に対応する、（明確な時間の単位またはＳＩ間隔に基づいて表される）時間の長さを取得してもよい。例えば、ＵＥ１３１は、仕様で定められた待ち時間テーブルを定義するか、それにアクセス可能であってもよい。待ち時間テーブルは異なる時間の時間の長さの組を含んでもよい。各時間の長さは、それぞれ異なる指標値に対応する。待ち時間テーブルおよびＳＩ−要求バックオフ標示に基づいて、ＵＥ１３１は適切な待ち時間の長さを取得してもよい。いくつかの例では、待ち時間の標示は、ＵＥ１３１に待ち時間中はＳＩ要求送信をバックオフすることを指示する単一のビットのみを含んでもよい。この例では、バックオフ設定は、仕様で定められてもよい。例えば、バックオフビットの受信に応じて、ＵＥ１３１は自動で仕様から時間の長さを決定してもよい（例えば、バックオフビット受信に応じて、再要求を試みるまで、ｘミリ秒待機する、またはスケジュール期間にわたり待機する）。別の例では、基地局１３４は、最小ＳＩ１１３内で、待ち時間の長さをブロードキャストしてもよい。ＵＥ１３１はバックオフビットを受信すると（例えばＡＣＫメッセージ内）、ＵＥ１３１は基地局１３４からブロードキャストされた時間だけ待機する。
【００５０】
ＵＥ１３１に待ち時間が通信されていない（しかし要求されたＳＩメッセージの送信は遅延）、ＵＥ１３１はＲＡに基づくＳＩ要求の再送信を試み、これにより、ＲＡＣＨがロードされうる。一方、待ち時間が送られると、ＵＥ１３１がＳＩ要求の再実行をバックオフしうる。待ち時間中、動作４１０において、ＵＥ１３１は、要求した（１つまたは複数の）ＳＩメッセージを、ＳＩウィンドウで待ったり、監視したりしなくてもよい。また、待ち時間中、動作４１０において、ＵＥ１３１はＳＩ要求を繰り返そうとしない。
【００５１】
いくつかの例では、待ち時間が経過すると、動作４１２において、基地局１３４は、スケジューリングされた次のＳＩウィンドウ内で、ＵＥの要求に固有のＳＩメッセージをブロードキャストする。例えば、ＳＩメッセージは、ＳＩウィンドウ内でブロードキャストされる。例えば、ＳＩメッセージごとに個別のＳＩウィンドウがあり、各ウィンドウの間隔は設定可能である。動作４１４において、ＵＥ１３１は、そのＳＩウィンドウを監視して、要求されたオンデマンドＳＩを取得してもよい。いくつかの例では、待ち時間経過後に、動作４１６において、ＵＥ１３１はそのＳＩ要求を再送してもよい（例えばＭＳＧ３に基づくＳＩ要求）。別の例では、待ち時間の標示を受信すると、ＵＥ１３１は待ち時間の長さを閾値レベルと比較してもよい。待ち時間の長さが閾値レベルを超えると、ＵＥ１３１は、そのセルがアクセス不能であるとして、ＲＡに基づくＳＩ要求を異なるセルの別の基地局に送信してもよい。
【００５２】
上述したように、ＲＡＣＨ応答は、ＳＩ要求の待ち時間と異なるバックオフ標示を含んでもよい。例えば、比較的大量のＵＥが無線媒体（例えば、ＲＡＣＨ）に同時にアクセスしようとしていた場合、衝突が生じうる。したがって、バックオフ標示を使用して、ＲＡＣＨ上の衝突／干渉を抑えてもよい。ＲＡＣＨ応答のバックオフ時間は、ＲＡＣＨ応答が失敗とされた場合にのみ適用される。なお、受信したＲＡＣＨ応答のいずれもが、送信されたＲＡプリアンブルに対応するランダムアクセスプリアンブル識別子（ＲＡＰＩＤ）を含まない場合に失敗とされる。したがって、ＲＡＣＨ応答を適切に受信したＵＥには、バックオフ標示が適用できない。この場合、ＲＡＣＨ応答内でＡＣＫを受信したＵＥは、次のＳＩウィンドウにおいてＳＩメッセージの復号を試みる。ＳＩメッセージが送られないと、ＵＥは新たなＳＩ要求を再送信する。したがって、既存のバックオフ標示は、必ずしもＳＩ要求の不要な繰り返しの問題の解決するものではない。
【００５３】
図５は、例示的実施による、ＭＳＧ１に基づくＳＩ要求に待ち時間を使用する、基地局１３４とＵＥ１３１との通信の例を示す図である。
【００５４】
例えば、ＲＡ１０５において、ＵＥ１３１は、動作５０２においてＳＩ要求用の専用ＲＡＣＨプリアンブルを選択し、選択した、ＳＩ要求が埋め込まれたＲＡＣＨプリアンブルを送信する。いくつかの例では、各ＲＡＣＨプリアンブルは、異なるＳＩＢに関連付けられる。いくつかの例では、単一のＲＡＣＨプリアンブルを使用して、複数のＳＩメッセージを要求できる。動作５０４において、ＵＥ１３１は、待ち時間の標示を含むＡＣＫ  ＲＡＣＨ応答を受信する。ＡＣＫ  ＲＡＣＨ応答は、ＲＡＣＨプリアンブルメッセージの受信を確認するＡＣＫである。ＡＣＫ  ＲＡＣＨ応答が、さらにＲＡＣＨプリアンブル識別子（例えば、当該応答がＲＡプリアンブル／要求に対応することを確認するプリアンブルシーケンスに対応する識別子）を含んで、ＵＬグラント、ＣＲＮＴＩ、ＴＡＩ、バックオフ標示等のその他典型的なＲＡＣＨパラメータを含まなくてもよい。いくつかの例では、ＵＥ１３１はＮＡＣＫ  ＲＡＣＨ応答を受信すると、待ち時間を無視して、ＭＳＧ１に基づくＳＩ要求を再送してもよい。
【００５５】
図４の例示的実施と同様、待ち時間の標示は、上述のように複数の異なる選択肢の１つで示されてもよい。例えば、ＲＡＣＨ応答内の待ち時間の標示は、待ち時間の長さ（例えば、時間の単位またはＳＩ間隔に基づく）、対応する時間の長さが、ＵＥ１３１がアクセス可能な待ち時間テーブルで指定される指標値、または１ビットバックオフ標示を含んでもよい。
【００５６】
動作５０６において、待ち時間中、ＵＥ１３１は要求した（１つまたは複数の）ＳＩメッセージを、ＳＩウィンドウで待ったり、監視したりしなくてもよい。また、待ち時間中、動作５０６において、ＵＥ１３１はＳＩ要求を繰り返そうとしない。いくつかの例では、待ち時間が経過すると、動作５０８において、基地局１３４は、スケジューリングされた次のＳＩウィンドウにおけるＵＥの要求に固有のＳＩメッセージをブロードキャストする。動作５１０において、ＵＥ１３１は、そのＳＩウィンドウを監視して、要求されたオンデマンドＳＩを取得してもよい。いくつかの例では、待ち時間経過後に、動作５１２において、ＵＥ１３１はそのＳＩ要求を再送してもよい（例えばＭＳＧ１に基づくＳＩ要求）。別の例では、待ち時間の標示を受信すると、ＵＥ１３１は待ち時間の長さを閾値レベルと比較してもよい。待ち時間の長さが閾値レベルを超えると、ＵＥ１３１は、そのセルがアクセス不能であるとして、ＲＡに基づくＳＩ要求を異なるセルの別の基地局に送信してもよい。
【００５７】
図６は、例示的実施による、ＭＳＧ１またはＭＳＧ３に基づくＳＩ要求に待ち時間を利用する、基地局１３４とＵＥ１３１との間の通信の例を示す図である。
【００５８】
動作６０２において、ＵＥ１３１は、ＭＳＧ１またはＭＳＧ３に基づくＳＩ要求（図４、５を参照に上述）を送信する。動作６０４において、ＵＥ１３１はＳＩ要求の受信を確認するＡＣＫメッセージを受信してもよい。動作６０６において、ＡＣＫメッセージ内で待ち時間の標示を提供する代わりに、基地局１３４は、最小ＳＩ１１３のブロードキャスト時に待ち時間の標示をブロードキャストしてもよい。基地局１３４は、全てのＳＩ要求、ＳＩ要求のサブセット、またはＵＥ１３１が要求した特定の種類のＳＩに対して待ち時間を適用すると判断した上で、ＳＩウィンドウ内で待ち時間をブロードキャストしてもよい。この場合、ＵＥは、待ち時間の標示の受信に際して、同様に対処してもよい。例えば、待ち時間が経過するのを待って、その要求ＳＩを待機するか（動作６１２）、ＳＩ要求を再送信する（動作６１０）か、またはそのセルがアクセス不能であるとして、異なるセルに新たなＳＩ要求を送信する（動作６１４）。
【００５９】
例１。図７は、例示的実施によるユーザーデバイス／ユーザー端末（ＵＥ）の動作を示すフローチャート７００である。
【００６０】
動作７０２は、無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することを含む。動作７０４は、前記ユーザーデバイスが前記基地局から、前記オンデマンドシステム情報を取得するまで前記ユーザーデバイスが待機する待ち時間の標示を受信することを含む。動作７０６は、前記ユーザーデバイスが、前記待ち時間の長さの間待機することを含む。動作７０８は、前記待ち時間の経過後、前記ユーザーデバイスが、前記オンデマンドシステム情報を有するシステム情報メッセージが前記基地局によりブロードキャストされるシステム情報ウィンドウを監視することを含む。
【００６１】
例２。例１および／または図７の方法の例示的実施によると、前記システム情報要求は、ランダムアクセスプリアンブルメッセージ内に含まれる。
【００６２】
例３。例１または２の方法および／または図７の方法の例示的実施によると、前記方法は、前記ユーザーデバイスが前記基地局に、ランダムアクセスプリアンブルメッセージを送信することと、前記ユーザーデバイスが前記基地局から、ランダムアクセス応答を受信することと、前記ユーザーデバイスが前記基地局に、前記ランダムアクセス応答に応じて、前記システム情報要求を含むメッセージを送信することと、をさらに含む。
【００６３】
例４。例１から３のいずれかの方法および／または図７の方法の例示的実施によると、前記待ち時間の前記標示は、前記システム情報要求に応じた確認メッセージに含まれる。
【００６４】
例５。例１から４のいずれかの方法および／または図７の方法の例示的実施によると、前記方法は、前記待ち時間後に前記システム情報要求を再送信することをさらに含む。
【００６５】
例６。例１から５のいずれかの方法および／または図７の方法の例示的実施によると、前記待ち時間の前記標示は、指標値を含み、前記ユーザーデバイスは、前記指標値を使用して、待ち時間テーブルから前記待ち時間の長さを取得するように構成される。
【００６６】
例７。例１から６のいずれかの方法および／または図７の方法の例示的実施によると、前記方法はさらに、前記待ち時間の長さを閾値レベルと比較することと、前記ユーザーデバイスが異なるセル内の異なる基地局に、前記閾値レベルを超える前記待ち時間の長さに対応する新たなシステム情報要求を送信することと、を含む。
【００６７】
例８。例１から７のいずれかの方法および／または図７の方法の例示的実施によると、前記待ち時間の前記標示に前記時間の長さは含まれ、前記時間の長さは時間の単位またはシステム情報間隔に基づいて表される。
【００６８】
例９。例示的実施による装置は、少なくとも１つのプロセッサと、コンピュータ命令を含む少なくとも１つのメモリと、を備え、前記コンピュータ命令は、前記少なくとも１つのプロセッサによって実行されると、前記装置に、例１から８のいずれかの方法および／または図７の方法（および／または本明細書に記載の１つ以上の動作／特徴）を実行させるように構成される。
【００６９】
例１０。例示的実施によるコンピュータプログラム製品は、コンピュータ可読記憶媒体を備え、実行可能コードを記憶し、前記実行可能コードは、少なくとも１つのプロセッサによって実行されると、前記少なくとも１つのプロセッサに、例１から８のいずれかの方法および／または図７の方法（および／または本明細書に記載の１つ以上の動作／特徴）を実行させるように構成される。
【００７０】
例１１。装置は、例１から８のいずれかに記載の方法および／または図７の方法（および／または本明細書に記載の１つ以上の動作／特徴）を実施する手段を備える。
【００７１】
例１２。別の例示的実施による装置は、少なくとも１つのプロセッサと、コンピュータ命令を含む少なくとも１つのメモリと、を備え、前記コンピュータ命令は、前記少なくとも１つのプロセッサによって実行されると、前記装置に、無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、前記ユーザーデバイスが前記基地局から、前記オンデマンドシステム情報を取得するまで前記ユーザーデバイスが待機する待ち時間の標示を受信することと、前記ユーザーデバイスが、前記待ち時間の長さの間待機することと、前記待ち時間の経過後、前記ユーザーデバイスが、前記オンデマンドシステム情報を有するシステム情報メッセージが前記基地局によりブロードキャストされるシステム情報ウィンドウを監視することと、を実施させる。
【００７２】
例１３。例１２の例示的実施によると、前記待ち時間の前記標示は、複数のＳＩメッセージが前記待ち時間の長さだけ遅延するように当該複数のＳＩメッセージに対応する。
【００７３】
例１４。例１２または１３に記載の例示的実施によると、前記コンピュータ命令は、前記少なくとも１つのプロセッサによって実行されると、前記装置に、前記ユーザーデバイスが前記基地局に、ランダムアクセスプリアンブルメッセージを送信することと、前記ユーザーデバイスが前記基地局から、ランダムアクセス応答を受信することと、前記ユーザーデバイスが前記基地局に、前記ランダムアクセス応答に応じて、前記システム情報要求を含むメッセージを送信することと、を実施させる。
【００７４】
例１５。例１２から１４のいずれかに記載の例示的実施によると、前記待ち時間の前記標示は、前記システム情報要求に応じた確認メッセージに含まれる。
【００７５】
例１６。例１２から１５のいずれかに記載の例示的実施によると、前記コンピュータ命令は、前記少なくとも１つのプロセッサによって実行されると、前記装置に、前記待ち時間後に前記システム情報要求を再送信することを実施させる。
【００７６】
例１７。例１２から１６のいずれかに記載の例示的実施によると、前記コンピュータ命令は、前記少なくとも１つのプロセッサによって実行されると、前記装置に、前記待ち時間の長さを閾値レベルと比較することと、前記ユーザーデバイスが異なるセル内の異なる基地局に、前記閾値レベルを超える前記待ち時間の長さに対応する新たなシステム情報要求を送信することと、を実施させる。
【００７７】
例１８。例１２から１７のいずれかに記載の例示的実施によると、前記待ち時間の前記標示は、前記ユーザーデバイスに待機することを示すビットを含み、前記待ち時間の長さは、前記基地局によりブロードキャストされる最小システム情報により示され、前記ユーザーデバイスがシステム情報要求を再試行するまで待機する時間の長さである。
【００７８】
例１９。例１２から１８のいずれかに記載の例示的実施によると、前記待ち時間の前記標示は、前記基地局によりブロードキャストされる最小システム情報に含まれ、前記ユーザーデバイスは、前記システム情報要求を前記基地局に送信するまで、前記待ち時間の長さだけ待機する。
【００７９】
例２０。例１２から１９のいずれかに記載の例示的実施によると、前記待ち時間の前記標示は、ランダムアクセスチャネル（ＲＡＣＨ）応答に含まれる。
【００８０】
例２１。図８は、例示的実施による基地局（ＢＳ）／ｅＮＢの動作を示すフローチャート８００である。
【００８１】
動作８０２は、無線ネットワークにおいて、基地局がユーザーデバイスから、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を受信することを含む。動作８０４は、前記基地局が、１つ以上のユーザーデバイスにシステム情報メッセージを送信するための遅延条件を決定することを含む。動作８０６は、前記基地局が前記ユーザーデバイスに、前記遅延条件の決定に応じて、前記オンデマンドシステム情報を有するシステム情報メッセージをブロードキャストするまで前記基地局が待機する待ち時間の標示を送信することを含む。動作８０８は、前記待ち時間の経過後、前記基地局が前記ユーザーデバイスに、システム情報ウィンドウ内で前記システム情報メッセージをブロードキャストすることを含む。
【００８２】
例２２。例２１に記載の方法および／または図８の方法の例示的実施によると、前記システム情報要求は、ランダムアクセスプリアンブルメッセージ内に含まれ、前記待ち時間の前記標示は、前記ランダムアクセスプリアンブルメッセージの確認に含まれる。
【００８３】
例２３。例２１または２２に記載の方法および／または図８の方法の例示的実施によると、前記方法は、前記基地局が前記ユーザーデバイスから、ランダムアクセスプリアンブルメッセージを受信することと、前記基地局が前記ユーザーデバイスに、ランダムアクセス応答を送信することと、前記基地局が前記ユーザーデバイスから、前記ランダムアクセス応答に応じて、前記システム情報要求を含むメッセージを受信することと、を含み、前記待ち時間の前記標示は、前記メッセージの確認に含まれる。
【００８４】
例２４。例２１から２３のいずれかに記載の方法および／または図８の方法の例示的実施によると、前記方法は、システム情報ウィンドウ内で、前記基地局が、前記待ち時間の前記標示を含む最小システム情報を定期的にブロードキャストすることを含む。
【００８５】
例２５。例示的実施による装置は、少なくとも１つのプロセッサと、コンピュータ命令を含む少なくとも１つのメモリと、を備え、前記コンピュータ命令は、前記少なくとも１つのプロセッサによって実行されると、前記装置に例２１から２４のいずれかに記載の方法および／または図８の方法（および／または本明細書に記載の１つ以上の動作／特徴）を実行させる。
【００８６】
例２６。例示的実施によるコンピュータプログラム製品は、コンピュータ可読記憶媒体を備え、実行可能コードを記憶し、前記実行可能コードは、少なくとも１つのプロセッサによって実行されると、前記少なくとも１つのプロセッサに、例２１から２４のいずれかに記載の方法および／または図８の方法（および／または本明細書に記載の１つ以上の動作／特徴）を実行させる。
【００８７】
例２７。装置は、例２１から２４のいずれかに記載の方法および／または図８の方法（および／または本明細書に記載の１つ以上の動作／特徴）を実施する手段を備える。
【００８８】
例２８。図９は、例示的実施によるユーザーデバイス／ユーザー端末（ＵＥ）の動作を示すフローチャート９００である。
【００８９】
動作９０２は、無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することを含む。動作９０４は、前記ユーザーデバイスが前記基地局から、前記オンデマンドシステム情報を取得するまで前記ユーザーデバイスが待機する待ち時間の標示を受信することを含む。動作９０６は、前記ユーザーデバイスが、前記ユーザーデバイスによる前記オンデマンドシステム情報の受信が予期される前記待ち時間の間待機することを含む。この形態では、前記ユーザーデバイスは、前記待ち時間の前記標示を受信してもよく（上述の１つ以上の例による）、前記待ち時間の間に、前記ユーザーデバイスは前記オンデマンドシステム情報を前記基地局から受信すると予期しうる。例えば、この形態では、前記待ち時間は、前記基地局が前記オンデマンドシステム情報を送達するように構成される時間の長さである。
【００９０】
例２９。例２８に記載の方法および／または図９の方法例示的実施によると、前記方法は、前記待ち時間後に、前記ユーザーデバイスが前記基地局に、前記ランダムアクセス処理時に前記システム情報要求を再送信することを含んでもよい。
【００９１】
例３０。例２８または２９に記載の方法および／または図９の方法の例示的実施によると、前記システム情報要求は、ランダムアクセスプリアンブルメッセージに含まれてもよい。
【００９２】
例３１。例２８から３０のいずれかに記載の方法および／または図９の方法の例示的実施によると、前記方法は、前記ユーザーデバイスが前記基地局に、ランダムアクセスプリアンブルメッセージを送信することと、前記ユーザーデバイスが前記基地局から、ランダムアクセス応答を受信することと、前記ユーザーデバイスが前記基地局に、前記ランダムアクセス応答に応じて、前記システム情報要求を含むメッセージを送信することと、をさらに含む。
【００９３】
例３２。例２８から３１のいずれかに記載の方法および／または図９の方法の例示的実施によると、前記待ち時間の前記標示は、前記システム情報要求に応じた確認メッセージに含まれてもよい。
【００９４】
例３３。例２８から３２のいずれかに記載の方法および／または図９の方法の例示的実施によると、前記待ち時間の前記標示は、前記基地局によりブロードキャストされる最小システム情報に含まれてもよい。
【００９５】
例３４。例２８から３３のいずれかに記載の方法および／または図９の方法の例示的実施によると、前記待ち時間の前記標示は、ランダムアクセスチャネル（ＲＡＣＨ）応答に含まれてもよい。
【００９６】
例３５。例２８から３４のいずれかに記載の方法および／または図９の方法の例示的実施によると、前記待ち時間の前記標示は、指標値を含んでもよく、前記ユーザーデバイスは、前記指標値を使用して、待ち時間テーブルから前記待ち時間の長さを取得するように構成されてもよい。
【００９７】
例３６。例２８から３５のいずれかに記載の方法および／または図９の方法の例示的実施によると、前記待ち時間の前記標示は、システム情報間隔に基づいて表される時間の長さを含んでもよい。
【００９８】
例３７。例示的実施による装置は、少なくとも１つのプロセッサと、コンピュータ命令を含む少なくとも１つのメモリと、を備え、前記コンピュータ命令は、前記少なくとも１つのプロセッサによって実行されると、前記装置に、例２８から３６のいずれかに記載の方法および／または図９の方法（および／または本明細書に記載の１つ以上の動作／特徴）を実行させる。
【００９９】
例３８。例示的実施によるコンピュータプログラム製品は、コンピュータ可読記憶媒体を備え、実行可能コードを記憶し、前記実行可能コードは、少なくとも１つのプロセッサによって実行されると、前記少なくとも１つのプロセッサに、例２８から３６のいずれかに記載の方法および／または図９の方法（および／または本明細書に記載の１つ以上の動作／特徴）を実行させる。
【０１００】
例３９。装置は、例２８から３６のいずれかに記載の方法および／または図９の方法（および／または本明細書に記載の１つ以上の動作／特徴）を実施する手段を備える。
【０１０１】
図１０は、例示的実施形態による無線局（例えばＡＰまたはユーザーデバイス）１０００のブロック図である。無線局１０００は、例えば、１つまたは２つのＲＦ（無線周波数）すなわち無線送受信機１００２Ａ、１００２Ｂを備えてもよい。各無線送受信機は信号をそれぞれ送受信する送信機、受信機を備える。無線局はさらに、命令またはソフトウェアを実行して信号の送受信を制御するプロセッサまたは制御部／エンティティ（コントローラ）１００４と、データおよび／または命令を記憶するメモリ１００６とをさらに備える。
【０１０２】
プロセッサ１００４はまた、判定や決定、送信されるフレーム、パケット、またはメッセージの生成、受信したフレームまたはメッセージをさらなる処理用に復号、さらに本明細書に記載のその他のタスクまたは機能を実行する。プロセッサ１００４はベースバンドプロセッサであってもよく、無線送受信機１００２Ａまたは１００２Ｂを介して送信される、例えばメッセージ、パケット、フレーム、またはその他の信号を生成する。プロセッサ１００４は、信号またはメッセージの無線ネットワークを通じた送信を制御してもよく、信号またはメッセージ等の無線ネットワークを介した受信を制御してもよい（例えば、無線送受信機１００２によりダウンコンバートされたもの）。プロセッサ１００４は、プログラミング可能で、メモリまたはその他のコンピュータ媒体により記憶されたソフトウェアまたはその他の命令を実行可能であってもよい。これにより上述した各種タスクや機能、すなわち、上述のタスクまたは方法の１つ以上等（例えば、図示したタイミングチャートおよびフローチャート内の任意の動作）を実行する。プロセッサ１００４は、ハードウェア、プログラマブルロジック、ソフトウェアまたはファームウェアを実行するプログラマブルプロセッサ、および／またはこれらの任意の組合せであってもよい（またはそれを含んでもよい）。プロセッサ１００４は、基板に接続された１つ以上のプロセッサを含んでもよい。言い換えると、例えばプロセッサ１００４および送受信機１００２を合わせて、無線送受信機システムと捉えてもよい。
【０１０３】
さらに、図１０を参照すると、コントローラ（またはプロセッサ）１００８は、ソフトウェアおよび命令を実行し、無線局１０００全体の制御を実現してもよい。さらに、図１０には示さない入出力デバイス（例えばディスプレイ、キーパッド）等の別のシステムの制御も実現してもよい。さらに／あるいは、無線局１０００上に存在しうる１つ以上のアプリケーションのソフトウェアを実行してもよい。例えば、ｅメールプログラム、オーディオ／ビデオアプリ、ワープロ、ボイスオーバーＩＰ（ＶｏＩＰ）アプリ、またはその他アプリまたはソフトウェア等である。
【０１０４】
さらに、記憶媒体は、コントローラまたはプロセッサにより実行されると、プロセッサ１００４、別のコントローラまたはプロセッサが上述の１つ以上の機能またはタスクを実行するものとして、記憶された命令を含むものであってもよい。
【０１０５】
別の例示的実施では、（１つまたは複数の）ＲＦすなわち無線送受信機１００２Ａ／１００２Ｂは、信号またはデータを受信し、さらに／あるいは信号またはデータを送信してもよい。プロセッサ１００４（場合によってはさらに送受信機１００２Ａ／１００２Ｂ）は、ＲＦすなわち無線送受信機１００２Ａまたは１００２Ｂを制御して、信号またはデータの受信、送信、ブロードキャストを実施させる。
【０１０６】
なお、実施形態は例として説明されたシステムに限定されず、当業者はこの解決策を他の通信システムに応用できる。適切な通信システムの別の例として、５Ｇコンセプトが挙げられる。５Ｇのネットワークアーキテクチャは、ＬＴＥアドバンストのものとごく類似しているとされる。５Ｇは、多入力多出力（Multiple Input-Multiple Output：ＭＩＭＯ）アンテナ、より小さな局と協調動作するマクロサイトを含めＬＴＥ（いわゆるスモールセルコンセプト）よりもはるかに多くの基地局またはノードを使用する可能性が高く、さらに場合によっては、カバレッジの改善およびデータ転送速度の向上のために様々な無線技術を採用する。
【０１０７】
当然のことながら、将来のネットワークはほぼ確実に、ネットワーク機能仮想化（Network Functions Virtualization：ＮＦＶ）を利用することになる。これは、サービスを提供するために動作上接続またはリンクされうる「ビルディングブロック」またはエンティティへとネットワークノード機能を仮想化することを提案するネットワークアーキテクチャのコンセプトである。仮想化ネットワーク機能（Virtualized Network Function：ＶＮＦ）は、カスタムハードウェアではなく標準または汎用型のサーバを使用してコンピュータプログラムコードを実行する１つ以上の仮想マシンを備えうる。クラウドコンピューティングやデータストレージをさらに利用してもよい。無線通信の場合、これは遠隔レディオヘッドに動作接続されたサーバ、ホスト、またはノードで、ノード動作の少なくとも一部が実行されることを意味しうる。さらに、ノードの動作が複数のサーバ、ノード、またはホスト間に分散されることも可能である。さらに、当然のことながら、コアネットワーク動作と基地局動作との労力分散は、ＬＴＥのそれと異なってもよいし、存在さえしなくてもよい。
【０１０８】
本明細書に記載の各種技術の実施は、デジタル電子回路、コンピュータハードウェア、ファームウェア、ソフトウェア、またはその組合せで実施されてもよい。これらは、コンピュータプログラム製品として実現されてもよい。すなわち、情報担体（例えば、機械可読記憶デバイスまたは伝播信号）にタンジブルに実施されたコンピュータプログラムである。これにより、データ処理装置の動作の実行または制御が行われる。同装置の例としては、プログラマブルプロセッサ（例えば、基板に接続されたプロセッサ）、１台のコンピュータ、または複数のコンピュータが挙げられる。さらに、コンピュータ可読媒体またはコンピュータ可読記憶媒体上に実施されてもよく、これらは非一時的媒体であってもよい。各種技術は、一時信号または媒体によって、および／またはプログラムおよび／またはソフトウェア（インターネットまたはその他の（１つまたは複数の有線および／または無線）ネットワークを通じてダウンロード可能）によって実施されてもよい。さらに、マシンタイプコミュニケーション（ＭＴＣ）、さらにはＩｏＴによる実施も可能である。
【０１０９】
コンピュータプログラムは、ソースコードの形式、オブジェクトコードの形式、または何らかの中間的形式であってもよく、プログラムを保持できる任意のエンティティまたはデバイスであってもよい何らかの種類の担体、配布媒体、またはコンピュータ可読媒体に記憶されてもよい。そのような担体には、例えば、記録媒体、コンピュータメモリ、読み取り専用メモリ、光電気および／または電気搬送波信号、電気通信信号、およびソフトウェア配布パッケージが含まれる。必要な処理能力に応じて、コンピュータプログラムは、単一の電子的なデジタルコンピュータにおいて実行されてもよく、いくつかのコンピュータ間に分散されてもよい。
【０１１０】
さらに、本明細書に記載された様々な技術の実施は、サイバーフィジカルシステム（Cyber-Physical System：ＣＰＳ）（物理的エンティティを制御する連携型計算要素のシステム）にも応用されうる。ＣＰＳは、種々の位置にある物理的な物体に組み込まれた相互接続された莫大な量のＩＣＴデバイス（センサ、アクチュエータ、プロセッサマイクロコントローラ等）の実装および利用を可能にしうる。モバイルサイバーフィジカルシステムでは、当該フィジカルシステムが本質的なモビリティを有するが、これはサイバーフィジカルシステムのサブカテゴリである。モバイルフィジカルシステムの例としては、人または動物により運ばれるモバイルロボティクスおよび電子装置が挙げられる。スマートフォンの普及により、モバイルサイバーフィジカルシステムへの関心が高まっている。したがって、本明細書に記載の技術の各種実施は、これら技術の１つ以上を利用して提供されるものであってもよい。
【０１１１】
上述の（１つまたは複数の）コンピュータプログラム等のコンピュータプログラムは、コンパイル言語やインタプリタ型言語を含む任意のプログラミング言語で記述されてもよい。さらに、スタンドアロンプログラムとして、モジュール、コンポーネント、サブルーチン、またはその他のユニットとして、あるいはコンピューティング環境内での使用に適したその一部でとして等、任意の形式で展開されてもよい。コンピュータプログラムは、１つまたは複数のコンピュータにより、単一のサイトで実行されるべく展開されてもよく、複数のサイトに分散されて通信ネットワークにより相互接続されてもよい。
【０１１２】
方法ステップは、１つ以上のプログラマブルプロセッサ（例えば、基板に接続された１つ以上のプロセッサ）が、コンピュータプログラムまたはコンピュータプログラムの一部を実行することで実現されてもよく、これにより、入力データが処理され、出力が得られるという動作により機能が実行される。方法ステップおよび装置はさらに、特殊用途論理回路で実現されてもよい。この例として、フィールドプログラマブルゲートアレイ（Field Programmable Gate Array：ＦＰＧＡ）または特定用途向け集積回路（Application Specific Integrated Circuit：ＡＳＩＣ）が挙げられる。
【０１１３】
コンピュータプログラム実行に適したプロセッサの例としては、汎用および特定用途向けマイクロプロセッサ、あらゆる種類のデジタルコンピュータ、チップ、またはチップセットの任意の１つ以上のプロセッサが挙げられる。一般的に、プロセッサは、命令とデータをＲＯＭ、ＲＡＭ、またはその両方から受信する。コンピュータの要素は、命令を実行する少なくとも１つのプロセッサと、命令およびデータを記憶する１つ以上のメモリデバイスとを含んでもよい。一般的にコンピュータはさらに、データ記憶用の１つ以上の大容量記憶デバイスを含んでもよく、データ送受信用にこれに動作接続されてもよい。その例としては、磁気、磁気光ディスク、または光ディスクが挙げられる。コンピュータプログラム命令およびデータを実施するのに適した情報担体は、あらゆる形式の不揮発性媒体を含む。これは例えば、半導体メモリデバイス（例えば、ＥＰＲＯＭ、ＥＥＰＲＯＭ、およびフラッシュメモリデバイス）、磁気ディスク（例えば、内蔵ハードディスクまたは取り外し可能ディスク）、磁気光ディスク、ＣＤ−ＲＯＭおよびＤＶＤ−ＲＯＭディスクが挙げられる。プロセッサおよびメモリは、特殊用途向け論理回路で補助されるか、それに含まれてもよい。
【０１１４】
ユーザーとの相互作用のため、ブラウン管（ＣＲＴ）または液晶ディスプレイ（ＬＣＤ）モニタ等のユーザーに情報を表示するディスプレイデバイスと、ユーザーにコンピュータへの入力を可能とするキーボードやポインティングデバイス（例えばマウスまたはトラックボール）等のユーザーインターフェースとを有するコンピュータ上に実施を実現してもよい。ユーザーとの相互作用を実現するためにその他種類のデバイスを使用してもよい。例えば、ユーザーに提供するフィードバックは、任意の感覚的フィードバックであってもよい。例えば、視覚的、聴覚的、触覚的フィードバックである。ユーザーによる入力も、音、声、触覚的入力等の任意の形式で受信可能である。
【０１１５】
例えば、データサーバ等のバックエンド要素を含むコンピュータシステム、アプリケーションサーバ等のミドルウェア要素を含むコンピュータシステム、例えばユーザーがある形態と相互作用可能となるＧＵＩまたはウェブブラウザを有するクライアントコンピュータ等のフロントエンド要素を含むコンピュータシステム、またはこれらの任意の組合せによって、それぞれ実施を実現してもよい。要素間は、任意の形式またはデジタルデータ通信の媒体（例えば、通信ネットワーク）によって相互接続されてもよい。通信ネットワークの例としては、ローカルエリアネットワーク（ＬＡＮ）や、例えばインターネットのような広域ネットワーク（ＷＡＮ）が挙げられる。
【０１１６】
本明細書において説明した実施の特定の特徴を示したが、多様な変形、置き換え、変更、および均等物が当業者には明らかであろう。したがって、添付の請求項は、各種実施形態の精神から逸脱しない、そのような変形や変更を網羅することが理解されよう。
【図１】
2020524959.tif 000003
【図２】
2020524959.tif 000004
【図３】
2020524959.tif 000005
【図４】
2020524959.tif 000006
【図５】
2020524959.tif 000007
【図６】
2020524959.tif 000008
【図７】
2020524959.tif 000009
【図８】
2020524959.tif 000010
【図９】
2020524959.tif 000011
【図１０】
2020524959.tif 000012
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、
前記ユーザーデバイスが前記基地局から、前記オンデマンドシステム情報を取得するまで前記ユーザーデバイスが待機する待ち時間の標示を受信することと、
前記ユーザーデバイスが、前記待ち時間の長さの間待機することと、
前記待ち時間の経過後、前記ユーザーデバイスが、前記オンデマンドシステム情報を有するシステム情報メッセージが前記基地局によりブロードキャストされるシステム情報ウィンドウを監視することと、
を含む方法。
【請求項２】
前記システム情報要求は、ランダムアクセスプリアンブルメッセージ内に含まれる、請求項１に記載の方法。
【請求項３】
前記ユーザーデバイスが前記基地局に、ランダムアクセスプリアンブルメッセージを送信することと、
前記ユーザーデバイスが前記基地局から、ランダムアクセス応答を受信することと、
前記ユーザーデバイスが前記基地局に、前記ランダムアクセス応答に応じて、前記システム情報要求を含むメッセージを送信することと、
をさらに含む、請求項１または２に記載の方法。
【請求項４】
前記待ち時間の前記標示は、前記システム情報要求に応じた確認メッセージに含まれる、請求項１から３のいずれかに記載の方法。
【請求項５】
前記待ち時間後に前記システム情報要求を再送信することをさらに含む、請求項１から４のいずれかに記載の方法。
【請求項６】
前記待ち時間の前記標示は、指標値を含み、
前記ユーザーデバイスは、前記指標値を使用して、待ち時間テーブルから前記待ち時間の長さを取得するように構成される、
請求項１から５のいずれかに記載の方法。
【請求項７】
前記待ち時間の長さを閾値レベルと比較することと、
前記ユーザーデバイスが異なるセル内の異なる基地局に、前記閾値レベルを超える前記待ち時間の長さに対応する新たなシステム情報要求を送信することと、
をさらに含む、請求項１から６のいずれかに記載の方法。
【請求項８】
前記待ち時間の前記標示に前記時間の長さは含まれ、
前記時間の長さは時間の単位またはシステム情報間隔に基づいて表される、
請求項１から７のいずれかに記載の方法。
【請求項９】
前記待ち時間の前記標示は、複数のＳＩメッセージが前記待ち時間の長さだけ遅延するように当該複数のＳＩメッセージに対応する、請求項１から８のいずれかに記載の方法。
【請求項１０】
前記待ち時間の前記標示は、前記ユーザーデバイスに待機することを示すビットを含み、
前記待ち時間の長さは、前記基地局によりブロードキャストされる最小システム情報により示される、
請求項１から９のいずれかに記載の方法。
【請求項１１】
前記待ち時間の前記標示は、前記基地局によりブロードキャストされる最小システム情報に含まれ、
前記ユーザーデバイスは、前記基地局に前記システム情報要求を送信するまで、前記待ち時間の長さの間待機する、
請求項１から１０のいずれかに記載の方法。
【請求項１２】
前記待ち時間の前記標示は、ランダムアクセスチャネル（Random Access Channel：ＲＡＣＨ）応答に含まれる、請求項１から１１のいずれかに記載の方法。
【請求項１３】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信することと、
前記ユーザーデバイスが前記基地局から、前記オンデマンドシステム情報を取得するまで前記ユーザーデバイスが待機する待ち時間の標示を受信することと、
前記ユーザーデバイスが、前記ユーザーデバイスによる前記オンデマンドシステム情報の受信が予期される前記待ち時間の間待機することと、
を含む方法。
【請求項１４】
前記待ち時間後に、前記ユーザーデバイスが前記基地局に、前記ランダムアクセス処理時に前記システム情報要求を再送信することをさらに含む、請求項１３に記載の方法。
【請求項１５】
前記システム情報要求は、ランダムアクセスプリアンブルメッセージ内に含まれる、請求項１３または１４に記載の方法。
【請求項１６】
前記ユーザーデバイスが前記基地局に、ランダムアクセスプリアンブルメッセージを送信することと、
前記ユーザーデバイスが前記基地局から、ランダムアクセス応答を受信することと、
前記ユーザーデバイスが前記基地局に、前記ランダムアクセス応答に応じて、前記システム情報要求を含むメッセージを送信することと、
をさらに含む、請求項１３から１５のいずれかに記載の方法。
【請求項１７】
前記待ち時間の前記標示は、前記システム情報要求に応じた確認メッセージに含まれる、請求項１３から１６のいずれかに記載の方法。
【請求項１８】
前記待ち時間の前記標示は、前記基地局によりブロードキャストされる最小システム情報に含まれる、請求項１３から１７のいずれかに記載の方法。
【請求項１９】
前記待ち時間の前記標示は、ランダムアクセスチャネル（Random Access Channel：ＲＡＣＨ）応答に含まれる、請求項１３から１８のいずれかに記載の方法。
【請求項２０】
前記待ち時間の前記標示は、指標値を含み、
前記ユーザーデバイスは、前記指標値を使用して、待ち時間テーブルから前記待ち時間の長さを取得するように構成される、
請求項１３から１９のいずれかに記載の方法。
【請求項２１】
前記待ち時間の前記標示は、システム情報間隔に基づいて表される時間の長さを含む、請求項１３から２０のいずれかに記載の方法。
【請求項２２】
前記ユーザーデバイスが、前記無線ネットワークのあるセルをアクセス不能であるとして、別のセルにキャンプオンすることをさらに含む、請求項１３から２１のいずれかに記載の方法。
【請求項２３】
無線ネットワークにおいて、基地局がユーザーデバイスから、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を受信することと、
前記基地局が、１つ以上のユーザーデバイスにシステム情報メッセージを送信するための遅延条件を決定することと、
前記基地局が前記ユーザーデバイスに、前記遅延条件の決定に応じて、前記オンデマンドシステム情報を有するシステム情報メッセージをブロードキャストするまで前記基地局が待機する待ち時間の標示を送信することと、
前記待ち時間の経過後、前記基地局が前記ユーザーデバイスに、システム情報ウィンドウ内で前記システム情報メッセージをブロードキャストすることと、
を含む方法。
【請求項２４】
前記システム情報要求は、ランダムアクセスプリアンブルメッセージ内に含まれ、
前記待ち時間の前記標示は、前記ランダムアクセスプリアンブルメッセージの確認に含まれる、
請求項２３に記載の方法。
【請求項２５】
前記基地局が前記ユーザーデバイスから、ランダムアクセスプリアンブルメッセージを受信することと、
前記基地局が前記ユーザーデバイスに、ランダムアクセス応答を送信することと、
前記基地局が前記ユーザーデバイスから、前記ランダムアクセス応答に応じて、前記システム情報要求を含むメッセージを受信することと、
を含み、
前記待ち時間の前記標示は、前記メッセージの確認に含まれる、
請求項２３または２４に記載の方法。
【請求項２６】
システム情報ウィンドウ内で、前記基地局が、前記待ち時間の前記標示を含む最小システム情報を定期的にブロードキャストすることを含む、請求項２３から２５のいずれかに記載の方法。
【請求項２７】
少なくとも１つのプロセッサと、コンピュータ命令を含む少なくとも１つのメモリと、を備える装置であって、前記コンピュータ命令は、前記少なくとも１つのプロセッサによって実行されると、前記装置に請求項１から１２のいずれかに記載の方法を遂行させる、装置。
【請求項２８】
装置の少なくとも１つのプロセッサによって実行されると、前記装置に、請求項１から１２のいずれかに記載の方法を遂行させるように構成されるコンピュータ命令を備える、コンピュータプログラム。
【請求項２９】
請求項１から１２のいずれかに記載の方法を実施する手段を備える、装置。
【請求項３０】
少なくとも１つのプロセッサと、コンピュータ命令を含む少なくとも１つのメモリと、を備える装置であって、前記コンピュータ命令は、前記少なくとも１つのプロセッサによって実行されると、前記装置に請求項１３から２２のいずれかに記載の方法を遂行させる、装置。
【請求項３１】
装置の少なくとも１つのプロセッサによって実行されると、前記装置に、請求項１３から２２のいずれかに記載の方法を遂行させるように構成されるコンピュータ命令を備える、コンピュータプログラム。
【請求項３２】
請求項１３から２２のいずれかに記載の方法を実施する手段を備える、装置。
【請求項３３】
少なくとも１つのプロセッサと、コンピュータ命令を含む少なくとも１つのメモリと、を備える装置であって、前記コンピュータ命令は、前記少なくとも１つのプロセッサによって実行されると、前記装置に請求項２３から２６のいずれかに記載の方法を遂行させる、装置。
【請求項３４】
装置の少なくとも１つのプロセッサによって実行されると、前記装置に、請求項２３から２６のいずれかに記載の方法を遂行させるように構成されるコンピュータ命令を備える、コンピュータプログラム。
【請求項３５】
請求項２３から２６のいずれかに記載の方法を実施する手段を備える、装置。
【請求項３６】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信する手段と、
前記ユーザーデバイスが前記基地局から、前記オンデマンドシステム情報を取得するまで前記ユーザーデバイスが待機する待ち時間の標示を受信する手段と、
前記ユーザーデバイスが、前記待ち時間の長さの間待機する手段と、
前記待ち時間の経過後、前記ユーザーデバイスが、前記オンデマンドシステム情報を有するシステム情報メッセージが前記基地局によりブロードキャストされるシステム情報ウィンドウを監視する手段と、
を備える装置。
【請求項３７】
無線ネットワークにおいて、ユーザーデバイスが基地局に、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を送信する手段と、
前記ユーザーデバイスが前記基地局から、前記オンデマンドシステム情報を取得するまで前記ユーザーデバイスが待機する待ち時間の標示を受信する手段と、
前記ユーザーデバイスが、前記ユーザーデバイスによる前記オンデマンドシステム情報の受信が予期される前記待ち時間の間待機する手段と、
を備える装置。
【請求項３８】
無線ネットワークにおいて、基地局がユーザーデバイスから、ランダムアクセス処理時にオンデマンドシステム情報に対するシステム情報要求であって、前記ユーザーデバイスを前記無線ネットワーク内で通信可能にする１つ以上のパラメータに対する要求であるシステム情報要求を受信する手段と、
前記基地局が、１つ以上のユーザーデバイスにシステム情報メッセージを送信するための遅延条件を決定する手段と、
前記基地局が前記ユーザーデバイスに、前記遅延条件の決定に応じて、前記オンデマンドシステム情報を有するシステム情報メッセージをブロードキャストするまで前記基地局が待機する待ち時間の標示を送信する手段と、
前記待ち時間の経過後、前記基地局が前記ユーザーデバイスに、システム情報ウィンドウ内で前記システム情報メッセージをブロードキャストする手段と、
を備える装置。
【国際調査報告】
2020524959.tif 000013
2020524959.tif 000014
2020524959.tif 000015